(57)【要約】  プロセッサ４は、第１のオーディオ及び／又はビデオ入力信号Ａ１，Ｖ１と第２のオーディオ及び／又はビデオ入力信号Ａ２，Ｖ２；Ａ１ｂ，Ａ１ｃ，Ａ３，Ａ５を受信Ｉ１，Ｉ２する。比較器４１は、第１のオーディオ又はビデオ入力信号Ａ１；Ｖ１と第２のオーディオ又はビデオ入力信号Ａ２，Ｖ２；Ａ１ｂ，Ａ１ｃ，Ａ３，Ａ５とをそれぞれ比較し、第１のオーディオ信号Ａ１と第２のオーディオ信号Ａ２との合致又は第１のビデオ信号Ｖ１と第２のビデオ信号Ｖ２との合致を検出する。セレクタ４２は、合致が検出された場合には第２のオーディオ又はビデオ入力信号Ａ２，Ｖ２である被選択信号ＡＳを供給し、そうでない場合は、第１のオーディオ又はビデオ入力信号Ａ１，Ｖ１を供給する。
2008510335.tif 000002
【特許請求の範囲】
【請求項１】
第１のオーディオ信号及び／又は第１のビデオ信号を有する第１の入力信号を受信し、第２のオーディオ信号及び／又は第２のビデオ信号を有する第２の入力信号を受信するプロセッサを受信するプロセッサであって、
前記第１の入力信号と前記第２の入力信号とを比較して、前記第１の入力信号と前記第２の入力信号との合致を検出する比較器と、
前記合致が検出される場合に前記第２の入力信号である被選択信号を、前記合致が検出されない場合に前記第１の入力信号を供給する選択器と、
を有するプロセッサ。
【請求項２】
請求項１に記載のプロセッサであって、前記第１の入力信号と前記第２の入力信号との優先度を示す優先度情報を受信する手段をさらに有し、前記選択器は、前記合致が検出され前記優先度が前記第２の入力信号が前記第１の入力信号より優先することを示す場合に前記第２の入力信号である被選択信号を供給し、そうでない場合は前記第１の入力信号を供給するように構成されている、プロセッサ。
【請求項３】
請求項１に記載のプロセッサであって、外部ソースから前記第１の入力信号を受信するための第１の入力と、前記外部ソース又は他の外部ソースから前記第２の入力信号を受信するための第２の入力とを有し、さらに前記被選択信号を供給するための出力を有するプロセッサ。
【請求項４】
請求項１に記載のプロセッサであって、前記比較器は、前記第１の入力信号と前記第２の入力信号との相互相関を判定するための相互相関判定回路を有し、前記合致は、当該相互相関が所定値よりも高い場合に検出される、プロセッサ。
【請求項５】
請求項１に記載のプロセッサであって、前記比較器は、前記第１の入力信号の第１のフィンガープリントと前記第２の入力信号の第２のフィンガープリントとを判定するフィンガープリント判定回路を有し、前記合致は、前記第１及び第２のフィンガープリントが合致した場合に検出される、プロセッサ。
【請求項６】
請求項１に記載のプロセッサであって、前記第１の入力信号及び第２の入力信号は、同じソースから発生される、プロセッサ。
【請求項７】
請求項１に記載のプロセッサであって、前記第１の入力信号は、ステレオオーディオ信号である第１のオーディオ信号であり、前記第２の入力信号は、マルチチャネルオーディオ信号である第２のオーディオ信号である、プロセッサ。
【請求項８】
請求項７に記載のプロセッサであって、前記マルチチャネルオーディオ信号を他のステレオ信号に変換するデコーダをさらに有し、前記比較器は、前記ステレオオーディオ信号及び他のステレオ信号を比較するように構成される、プロセッサ。
【請求項９】
請求項１に記載のプロセッサであって、前記第１の入力信号は、アナログオーディオ信号である第１のオーディオ信号であり、前記第２の入力信号は、ディジタルオーディオ信号である第２のオーディオ信号である、プロセッサ。
【請求項１０】
請求項９に記載のプロセッサであって、前記アナログオーディオ信号を他のディジタルオーディオ信号に変換するアナログ／ディジタル変換器をさらに有し、前記比較器は、前記他のディジタルオーディオ信号を前記ディジタルオーディオ信号と比較するように構成されている、プロセッサ。
【請求項１１】
請求項１に記載のプロセッサであって、前記第１の入力信号は、第１のオーディオ信号であり、前記第２の入力信号は、第２のオーディオ信号である、プロセッサ。
【請求項１２】
請求項１に記載のプロセッサであって、前記第１の入力信号は、第１のビデオ信号であり、前記第２の入力信号は、第２のビデオ信号である、プロセッサ。
【請求項１３】
請求項１に記載のプロセッサを有するレシーバであって、前記第１の入力信号を受信するための第１のレシーバ入力と、前記第２の入力信号を受信するための第２のレシーバ入力と、前記被選択信号に関連した出力オーディオ信号を供給するためのレシーバ出力とを有するレシーバ。
【請求項１４】
請求項１３に記載のレシーバであって、前記プロセッサは、前記第２の入力信号を受信するように外部情報ソースとの通信をなすための無線又は有線通信ユニットをさらに有する、レシーバ。
【請求項１５】
第１のオーディオ入力信号及び第１の入力ビデオ信号を供給するオーディオビデオソースと、
前記第１の入力ビデオ信号に関連している第１のビデオ信号を供給するように前記第１の入力ビデオ信号を受信するためのビデオ入力及び／又は前記第１のオーディオ入力信号に関連している第１のオーディオ信号を供給するように前記第１のオーディオ入力信号を受信するためのオーディオ入力と、表示信号を得るように前記第１のビデオ信号を処理する画像処理器と、前記表示信号を表示するディスプレイとを有する表示装置と、
請求項１３に記載のレシーバであって、前記表示装置から物理的に分離されているレシーバと、
を有するシステム。
【請求項１６】
請求項１５に記載のシステムであって、前記オーディオビデオソースは、前記第１のオーディオ信号とは異なるものの関連している第２のオーディオ信号の供給もなすように構成されている、システム。
【請求項１７】
第１のオーディオ信号及び／又は第１のビデオ信号を有する第１の入力信号と第２のオーディオ信号及び／又は第２のビデオ信号を有する第２の入力信号とを受信し、
前記第１の入力信号と前記第２の入力信号とを比較して、前記第１の入力信号と前記第２の入力信号との合致を検出し、
前記合致が検出される場合に前記第２の入力信号である被選択信号を、前記合致が検出されない場合に前記第１の入力信号である被選択信号を供給する、
処理方法。
【発明の詳細な説明】
【技術分野】
【０００１】
本発明は、プロセッサ、このプロセッサを有するレシーバ、表示装置及び当該レシーバを有するシステム、並びに処理方法に関する。
【背景技術】
【０００２】
家庭向け娯楽システムは、表示装置、ホームシネマレシーバ及びＤＶＤプレーヤを有することが多い。ここでの表示装置は、従来の陰極線管、ＬＣＤ若しくはプラズマディスプレイのようなマトリクスディスプレイ又はプロジェクタとすることができる。ホームシネマレシーバは、マルチチャネルオーディオ増幅器を介して拡声スピーカに差し向けられるべきソースの入力信号を選択するソースセレクタを有する。このマルチチャネルオーディオ増幅器は、当該ホームシネマレシーバの一部とすることができる。また、ラジオオーディオ信号を受信するためにラジオチューナがホームシネマレシーバに組み込まれることも可能である。また、ＤＶＤプレーヤは、ＤＶＤの記憶をしＣＤ及びＳＡＣＤを扱うことが可能なようにすることもできる。かかる家庭向け娯楽システムはさらに、ＶＣＲ、衛星レコーダ及び他の周辺オーディオ及び／又はビデオ装置を有するものとすることができる。
【０００３】
このようなシステムにおいて、ユーザは、ホームシネマレシーバにおける適切な入力ソースを手動で選択しなければならない。したがって、ホームシネマレシーバに接続される拡声スピーカにより発せられた音声は表示装置において表示される画像に適合しないか、或いは最適な形で適合しないことが簡単に起こりうる。例えば、表示装置がステレオ及びマルチチャネル双方のオーディオ信号が関連付けられたＤＶＤビデオを表示するときには、ホームシネマレシーバは、マルチチャネル信号に代えてステレオ信号を出力する場合がある。
【０００４】
米国特許出願に係る文献のＵＳ−Ａ−６，６７８，０１４は、ディジタルテレビのオーディオ信号を自動的に選択するための装置を開示している。ディジタルオーディオ信号が存在すると検出された場合、当該ディジタルオーディオ信号は、アナログオーディオ信号も存在する場合でも当該ディジタルテレビにおいて用いられるように選択される。この態様において、ディジタルオーディオ信号は、アナログオーディオ信号よりも高い優先度を有しているので、ディジタルオーディオ信号が存在する場合にはこれが選択されることになる。しかしながら、このシステムは、アナログ及びディジタル信号が同じ装置から発せられる場合にのみ正しく機能する。ユーザがケーブルをディジタル入力に接続する際に間違いがあると、他のソースから発せられるオーディオ信号が選択されてしまうことになる。
【発明の開示】
【発明が解決しようとする課題】
【０００５】
本発明の目的は、入力信号を正しく選択するオーディオプロセッサを提供することである。
【課題を解決するための手段】
【０００６】
本発明の第１の態様は、請求項１に記載されているようなプロセッサを提供する。本発明の第２の態様は、請求項１３に記載されているようなレシーバを提供する。本発明の第３の態様は、請求項１５に記載されているようなレシーバを有するシステムを提供する。本発明の第４の態様は、請求項１７に記載されているようなオーディオ信号処理方法を提供する。有利な実施例は、従属請求項に規定される。
【０００７】
本発明の第１の態様によるプロセッサは、第１の入力信号及び第２の入力信号を受信することができる。第１の入力信号は、オーディオ信号及び／又はビデオ信号とすることができ、第２の入力信号もオーディオ信号及び／又はビデオ信号とすることができる。比較器は、第１の入力信号と第２の入力信号を比較して、第１の入力信号と第２の入力信号との合致を検出するようにしている。選択器は、選択された信号を供給し、その際、かかる被選択信号は、当該合致が検出された場合には第２の入力信号であり、そうでない場合は第１の入力信号である。したがって、第２の入力信号は、第１の入力信号と合致する場合にのみ選択される。故に、第２の入力信号が第１の入力信号に関連していないのに選択されるようなことは起こり得ない。
【０００８】
このような選択は、第２の入力信号が第１の入力信号よりも高い品質を有する場合に適切なものとなる。例えば、特定のコンテンツソース（例えばＤＶＤプレーヤ）は、アナログステレオオーディオ信号（第１の信号）及びアナログ又はディジタルのマルチチャネルオーディオ信号（第２の信号）の双方を提供することができる。プロセッサはここで、異なるオーディオ信号が互いに対応するかどうか（互いに合致するかどうか）を確認し、対応する場合には、マルチチャネルオーディオ信号を選択する。或いは、プロセッサは、合致と判断された場合の２つの相関性のあるビデオ信号（例えば、ＳＣＡＲＴ規格インターフェースを介したコンポーネントビデオ信号やＳ−ＶＨＳ又は複合ビデオ信号）を受信するものとしてもよい。当該ビデオ信号に合致が認められたときに当該オーディオ信号選択が制御されることも可能である。
【０００９】
請求項２に規定されるような実施例において、プロセッサは、第１の入力信号と、第２の入力信号と、第１の入力信号と第２の入力信号との間の優先度を示す優先度情報とを受信する。比較器は、第１の入力信号と第２の入力信号を比較して当該第１の信号と第２の信号との合致を検出するようにしている。選択器は、選択された信号を供給するが、その際、合致が検出されかつ第２の入力信号の優先度が第１の入力信号のものよりも高ければ第２の入力信号を、そうでなければ第１の入力信号を供給する。
【００１０】
以下の説明では、オーディオ及び／又はビデオ信号を処理することのできる請求項記載のプロセッサをオーディオ信号のマッチングについて例示により説明する。第１の入力信号は、ここで第１のオーディオ入力信号と称し（第１のオーディオ信号とも呼ぶ）、第２の入力信号は、第２のオーディオ入力信号と称する（第２のオーディオ信号とも呼ぶ）。これは、請求項の言い回しにより意図されるようなこれらオーディオ信号に関連したビデオ信号についてマッチングも行われることがあることを排除するものではない。
【００１１】
したがって、（周辺の）オーディオ／ビデオ装置が第１のオーディオ入力信号を供給する場合、大抵はホームシネマレシーバとされるレシーバは、この第１のオーディオ信号か又は第２のオーディオ信号を出力することになる。第２のオーディオ信号は、同じオーディオ／ビデオ装置から発生可能であり、その後に第１のオーディオ信号と相関づけられ、或いは同じオーディオ／ビデオ装置から生じず、第１のオーディオ信号と相関がとられてもよいしそうでなくともよい。第２のオーディオ信号が第１のオーディオ信号と合致しない場合、第１の出力信号が出力される。第２のオーディオ信号が第１のオーディオ信号と合致しこれにより同じ情報に関連している場合には、第２のオーディオ信号は、第２のオーディオ信号が第１のオーディオ信号よりも高い優先度を有することが分かった場合に出力される。そうでない場合、合致の場合でも第１の信号が出力されることになる。この方策は、複数のオーディオ／ビデオ装置が接続されるホームシネマレシーバに特に有益である。
【００１２】
例えば、第１及び第２のオーディオ入力信号は、同じオーディオ／ビデオ装置から生じ、ディジタル入力オーディオ信号を受信する入力がアナログオーディオ信号を受信する入力よりも高い優先度を有することが記憶される。レシーバのオーディオプロセッサが第１のオーディオ入力信号と第２のオーディオ入力信号との合致を確認すると、ディジタルオーディオ信号が選択され、そうでないとアナログオーディオ信号が選択される。この例では、全てのケーブルが正しく接続されている場合に合致が判明されることになる。但し、例えばユーザが他のコンテンツソースの信号を伝搬するケーブルを接続したことにより、ディジタル信号を伝送するケーブルが誤って接続されると、アナログ信号に関係のないディジタル信号が供給される。合致が判明せず、誤ったディジタル信号が選択されないことになる。或いは、マルチチャネルオーディオ信号を受信する入力がステレオ信号を受信する入力よりも高い優先度を有することが分かる場合もある。この合致も、２つを超える数のオーディオ信号の間で判定可能である。この例では、ディジタルステレオオーディオ信号及びディジタルマルチチャネルオーディオ信号の双方がアナログオーディオ信号との照合のためにテストされるようにしてもよい。マルチチャネルオーディオ信号が意味するところは、２つを超える数のオーディオチャネルを有するアナログ又はディジタルオーディオ信号である。
【００１３】
他の例において、第１及び第２のオーディオ入力信号は、異なるオーディオ／ビデオ装置又はより一般的には異なるコンテンツソースからから生じる。かかるコンテンツソースは、例えば、記憶媒体、インターネット又はＷＬＡＮ又は他の無線装置とすることができる。ここで、合致が存在するかどうかは予め明確ではない。したがって、合致が存在するかどうかが確認されなければならず、存在すればその合致するオーディオ信号の優先度がどんなものか確認される。好ましくは、全てのオーディオ入力信号が合致について確認される。合致している入力オーディオ信号のために、どれが最も高い優先度を有するかが判定される。第１のオーディオ入力信号に合致し最も高い優先度を有するオーディオ入力信号が選択される。
【００１４】
これは、例えば、表示画像に属するオーディオ信号が表示装置によりオーディオプロセッサを有するホームシネマレシーバに供給される家庭向け娯楽システムに用いて有利となる。例えば、ＳＣＡＲＴコネクタを有する表示装置に対して、表示装置とホームシネマレシーバとの間のＳＣＡＲＴケーブルは、表示装置からホームシネマレシーバへ、表示装置に表示される画像に属するステレオオーディオ信号を伝送する。ここで、ホームシネマレシーバが当該表示装置モードにあるように命令される場合、ホームシネマレシーバは、どのオーディオ信号が表示画像に属するかが分かる。当該表示装置モードでは、ホームシネマレシーバの選択器は、少なくとも当該表示装置のオーディオ信号がホームシネマレシーバに対して利用可能となるように制御される。このホームシネマレシーバは、表示装置により供給される第１のオーディオ信号に関連したオーディオ信号の存在につき全ての他のオーディオ入力を確認する。合致が見つかった場合及びこの後の第２のオーディオ信号の優先度の方が高い場合、後のオーディオ信号は、スピーカに送られるように選択されることになり、そうでなければ、表示装置により供給されるオーディオ信号がスピーカに送られることになる。
【００１５】
例えば、表示装置に表示される画像がＳＣＡＲＴケーブルを介して表示装置に接続されるＤＶＤプレーヤから生じる場合、表示装置は、第１のオーディオ信号としてホームシネマレシーバに接続される他のＳＣＡＲＴケーブルを介してＤＶＤプレーヤから当該ＳＣＡＲＴケーブルを介して受信されるアナログステレオオーディオ信号を出力することになる。さらに、ＤＶＤプレーヤは、ホームシネマレシーバの適切な入力に対して当該第２のオーディオ信号としてディジタルマルチチャネルオーディオ信号を供給するようにホームシネマレシーバにケーブルを介して接続される。オーディオプロセッサは、第１のオーディオ信号と第２のオーディオ信号との合致を判断し、第２のオーディオ信号が最も高い優先度を有することを知り、これにより復号され聴覚可能とされるディジタルマルチチャネルオーディオ信号を自動的に選択する。
【００１６】
或いは、本発明によるマッチング（照合）方策は、例えば、電話、インターネット又は他の有線若しくは無線接続部に接続されるオーディオ−ビデオシステムにおいて有利に用いられることが可能である。第１のオーディオ信号は、コンテンツソースから得られた第２のオーディオ信号と比較され、合致して高い優先度を有するものが選択される。例えば、家庭向け娯楽システムでは、アナログステレオ信号又はその関連のパラメータがコンテンツプロバイダに断続的又は連続的に供給される。当該関連のパラメータは、オーディオ信号の指紋情報（フィンガープリント）としてもよい。より良いオーディオ信号が存在する場合、コンテンツプロバイダは、この良好な信号を供給する。オーディオプロセッサは、コンテンツプロバイダにより提供されたコンテンツを受信するホームシネマレシーバの入力を連続的にチェックし、このオーディオ信号が適合しより高い優先度を有する場合にはこのオーディオ信号を用いる。例えばより良い信号は、高い信号対雑音比を持つオーディオ信号、アナログオーディオ信号ではなくディジタルオーディオ信号、又はステレオオーディオ信号ではなくマルチチャネルオーディオ信号とすることができる。
【００１７】
当該市場におけるフィリップスのオーディオビジュアル装置からは、いわゆるシネマリンク（cinema-link）が知られている。このシネマリンクは、ホームシネマレシーバ、表示装置及び他の周辺装置の間の通信バスである。ホームシネマレシーバは、この通信バスを介して、アクティブになるときに周辺装置の音声信号を自動的に選択するよう指令される。ユーザは、正しい入力を選択するようにホームシネマレシーバに手動で命令する必要がない。このシネマリンクの短所は、関係する全ての装置に当該シネマリンクを動作するために必要な回路が設けられるべきことである。大抵、フィリップス以外のブランドは、シネマリンクを持っていない。当該装置の１つがシネマリンク機能を持っていない場合、ユーザは、手動でソースを選択しなければならない。
【００１８】
米国特許出願に係る文献のＵＳ−Ａ−６，０５２，４７１は、複数のオーディオ及び／又はビジュアルソース装置からのどの信号が存在するかを自動的に検出する制御回路を備えたレシーバを開示している。この制御回路は、当該存在信号のうちのどれが最も高い優先度を有するかを判定する優先度ロジックを有する。選択器は、用いるのに最も高い優先度を持つ提示信号を選択する。したがって、ユーザがオーディオ及び／又はビジュアル入力信号の可能性あるソースとしてレシーバに仕えるソース装置を開始させると、レシーバ制御回路は、当該レシーバがオーディオ及び／又はビジュアル情報のそのソースとしてこのソース装置に切り換わるべきかどうかを自動的に判定するので、これをレシーバのユーザが行わなければならないものとはならない。この従来技術は、他のオーディオ信号と合致しより高い優先度を有する場合にはオーディオ信号を選択するだけのことで得られる利益を持たない。他の短所は、以下の例により示される。開始状況がＴＶがアクティブでレシーバがＴＶ信号を選択している場合を考える。ここでＤＶＤプレーヤがアクティブとなると、レシーバはその信号を検出しそのＤＶＤ入力に切り換わる。ＤＶＤがまだ再生している間にユーザがＴＶに切り換えることを望んだ場合、この従来技術は依然としてＤＶＤを選択する。本発明の実施例においては、ＴＶの出力信号が先行している状態で、これによりこの出力信号がＤＶＤからＴＶチューナに変わるときには、レシーバはこれを知ることになり、合致する入力信号をのサーチを開始する。合致があると、この信号が選択され、そうでなければ、ＴＶから受信されたチューナ信号が選択されることになる。
【００１９】
米国特許出願に係る文献のＵＳ−Ａ−６，６７８，０１４は、既に旧式のものについて述べるものであり、ディジタル信号がアナログ信号に関連しているかどうか、そして当該アナログ信号に合致する他の信号が入力されうるものかどうかをチェックすることを欠いている。このように、ディジタル信号は、アナログ信号に全く合致していない場合でも、選択されることになる。さらに、アナログオーディオ信号に合致しディジタルオーディオ信号より優先させるべき１を超える数のオーディオ信号が存在可能である。例えば、アナログ又はディジタルのマルチチャネル信号がディジタルステレオ信号より優先するものとしなければならないかもしれない。
【００２０】
請求項４に規定されるような実施例において、周知の相互相関技術が第１及び第２のオーディオ信号が合致するかどうかを検出するために用いられる。第１及び第２のオーディオ信号の１つ又は双方を前処理してそれらの類似性を最適化するようにすることが必要かもしれない。例えば、アナログオーディオ信号は、ディジタルオーディオ信号と（又はこの逆に）比較する前に先ずディジタル化されうる。
【００２１】
請求項５に規定されるような実施例においては、第１及び第２のオーディオ信号が合致するかどうかを検出するために周知の指紋技術が用いられる。ここでも、オーディオ信号が比較される前に最初に前処理が適用可能である。指紋は、１対１に合致している必要はなく、十分に高い相関があれば足りる。
【００２２】
請求項６に規定されるような実施例において、第１及び第２のオーディオ信号は、例えばＤＶＤプレーヤなどの同じソースから生じる。例えば、請求項７に規定されるように、第１の信号は、アナログステレオオーディオ信号であり、第２の信号は、ディジタルマルチチャネル信号である。オーディオプロセッサは、より高い優先度のマルチチャネル信号を選択することになるが、アナログステレオオーディオ信号と合致する場合のみである。合致を判定するため、前処理を必要としてもよい。例えば、請求項８に規定されるように、マルチチャネルオーディオ信号をステレオオーディオ信号に復号するようにしてもよいし、或いは請求項１０に規定されるように、アナログステレオオーディオ信号が比較がなされる前にディジタル化される。
【００２３】
請求項１３に規定されるような実施例において、レシーバは、オーディオプロセッサを有する。レシーバは、第１のオーディオ信号Ａ１及び第２のオーディオ信号Ａ２を受信するための入力を有し、選択されたオーディオ信号を供給するための出力を有する。例えば、レシーバは、マルチチャネルセレクタ／前置増幅器、ホームシネマレシーバ若しくは増幅器、又はフルマルチチャネルホームシネマレシーバ若しくは増幅器とすることができる。ホームシネマレシーバ又は増幅器は、ＡＶレシーバ又はＡＶ増幅器又は単にレシーバ又は増幅器とも呼ばれる。ＡＶ増幅器とＡＶレシーバの違いは、後者がオーディオチューナを有することである。セレクタ／前置増幅器又は増幅器とフルレシーバ又は増幅器との違いは、後者が拡声スピーカを駆動するのに必要なオーディオ出力増幅器を含むことである。レシーバはまた、ＣＤ／ＤＶＤ（／ＤＶＤ−Ａ，ＳＡＣＤ）プレーヤ／レコーダ、又はインターネット接続部又はＩリンクなどのコンテンツプロバイダとの通信のためのインターフェースのような他の機能を有するようにしてもよい。
【００２４】
請求項１４に規定されるような実施例では、レシーバは、コンテンツプロバイダとの通信のためのインターフェースのようなものを有する。このインターフェースを介して供給されるオーディオ信号は、第１のオーディオ信号に合致し最も高い優先度を有する場合に選択される。
【００２５】
請求項１５に規定されるような実施例では、レシーバは、表示装置及びオーディオビデオソースを有するシステムの一部である。オーディオビデオソースは、表示装置に対して第１のオーディオ信号及びビデオ信号を供給する。このビデオ信号は、表示装置において実際に表示される。この表示装置は、第１のオーディオ信号を表示装置から物理的に分離されているレシーバに転送する。レシーバはさらに、第２のオーディオ信号を受信する。レシーバのオーディオプロセッサは、第１及び第２のオーディオ信号を比較し、合致して最も高い優先度を有する場合に第２のオーディオ信号を選択する。そうでない場合には、第１のオーディオ信号が選択される。
【００２６】
請求項１６に規定されるような実施例では、第１及び第２のオーディオ信号が同じオーディオビデオソースから生じる。例えば、第１のオーディオ信号はアナログステレオ信号であり、第２のオーディオ信号はディジタルマルチチャネル信号である。
【００２７】
以下、本発明のこれらの態様及びその他の態様を次に説明する実施例に基づいて明らかにする。
【発明を実施するための最良の形態】
【００２８】
図１は、表示装置、オーディオビデオソース（ＡＶソースとも呼ばれる）及びオーディオプロセッサを有するシステムのブロック図を示している。ＡＶソース１は、ビデオ信号Ｖ１ａが付帯される第１のオーディオ信号Ａ１ａを表示装置２に供給する。表示装置２は、その表示にどの信号を表示すべきかを選択するためにセレクタ（図１には示されていない。図２を参照）を有する。このセレクタは、ビデオ信号Ｖ１ａを表示し、オーディオ信号Ａ１としてのオーディオ信号Ａ１ａ及び／又はビデオ信号Ｖ１をオーディオプロセッサ４の入力Ｉ１に供給するポジションとなっている。オーディオ信号Ａ１及びビデオ信号Ｖ１は、オーディオ信号Ａ１ａ及びビデオ信号Ｖ１ａとそれぞれ非常に高い類似性がある。これら信号は、セレクタを通じなければならないだけで、増幅／バッファ処理されるようにしてもよい。また、ノイズ抑制としての幾つかの前処理がオーディオ信号Ａ１ａ及びビデオ信号Ｖ１ａに対して行われてもよい。オーディオ信号Ａ１及びビデオ信号Ｖ１は、同じ情報に属するので関連している。例えば、ＡＶソース１は、アナログステレオ信号をオーディオ信号Ａ１として、コンポーネントビデオをビデオ信号Ｖ１として供給するＤＶＤプレーヤを有する。表示装置２は、テレビ装置、コンピュータモニタ、プロジェクタ又はオーディオが関連している画像を表示するのに適した他の表示装置とすることができる。第１のオーディオ信号Ａ１ａは、表示装置２にインターフェースケーブルにより伝送される。このインターフェースケーブルは、ＡＶソース１から表示装置２にビデオ信号Ｖ１ａを伝送もするＳＣＡＲＴ規格ケーブルとすることができる。
【００２９】
オーディオプロセッサ４は、第２のオーディオ信号Ａ２及び／又はこれもＡＶソース１から生じる第２のビデオ信号Ｖ２を受信するための他の入力Ｉ２を有する。例えば、第２のオーディオ信号Ａ２は、ディジタルステレオ又はマルチチャネルオーディオ信号である。オーディオ信号Ａ２は、アナログ又はディジタルのマルチチャネルオーディオ信号に代えてもよい。オーディオ信号Ａ２は、単一のディジタルインターフェースケーブルにより、又は複数のアナログインターフェースケーブルにより伝送可能である。ビデオ信号Ｖ２は、複合ビデオとしてもよい。
【００３０】
オーディオプロセッサ４は、比較器４１、コントローラ４０及びセレクタ４２を有する。比較器４１は、（第１の）オーディオ信号Ａ１及び（第２の）オーディオ信号Ａ２を受信し、比較信号ＣＳを供給する。比較信号ＣＳは、比較器４１が第１のオーディオ信号Ａ１と第２のオーディオ信号Ａ２との合致を検出したかどうかを示す。比較器４１は、この合致の存在があるかどうかを判定するための周知の相互相関又はフィンガープリント技術を用いるようにしてもよい。適切な相互相関技術の例は、L. R. Rabiner and B. Gold, Prentice Hall, 1975より?Theory and application of Digital Signal Processing"において開示されている。適切なフィンガープリント技術の例は、米国特許出願に係る文献のＵＳ−Ａ−６４５３２５２に開示さている。オーディオ信号のフィンガープリントは、周波数サブバンドにおけるエネルギ成分に基づいて発生される。処理技術は、フィンガープリントが発生された後に変更される信号を識別するのに有益な堅牢な識別フィンガープリントを保証する。フィンガープリントは、オーディオ信号を識別するためにデータベースと比較される。合致は、比較される信号が同一であるべきこと、又は相互相関が１００％であるべきこと、又はフィンガープリントが一致すべきことを意味することを意図していない。信号又はフィンガープリントがほぼ一致すれば、又は相互相関が所定のレベルより高いことで足りうるものである。
【００３１】
コントローラ４０は、比較信号ＣＳ、及びオプションとして優先度情報ＰＩを受信して選択信号ＳＥを供給する。優先度情報ＰＩは、異なるオーディオ信号の優先度を示す。例えば、優先度情報ＰＩは、マルチチャネルオーディオ信号がステレオ信号よりも高い優先度を有すること、及びディジタルオーディオ信号がアナログオーディオ信号よりも高い優先度を有することを示すことができる。優先度情報ＰＩは、メモリに記憶可能であり、或いは、当該信号の起源に基づいて判定されるようにしてもよく、これにより当該信号が存在するところの入力に依存したものとすることができる。或いは、より高い信号対雑音比の信号は、低い信号対雑音比の信号よりも高い優先度を持つようにしてもよい。
【００３２】
セレクタ４２は、第１のオーディオ入力信号Ａ１、第２のオーディオ入力信号Ａ２及び選択信号ＳＥを受信し、出力Ｏに選択されたオーディオ信号ＡＳを供給する。比較信号ＣＳが第２のオーディオ信号が第１のオーディオ信号Ａ１と合致することを示し、優先度情報ＰＩが第２のオーディオ信号Ａ２の優先度が第１のオーディオ信号Ｐ１のそれよりも高いことを示す場合、選択信号ＳＥは、選択されたオーディオ信号ＡＳとして第２のオーディオ信号Ａ２を選択するようにセレクタ４２を制御する。他の全ての状況において、選択信号ＳＥは、被選択オーディオ信号ＡＳとして第１オーディオ信号Ａ１を選択するようにセレクタ４２を制御する。
【００３３】
例として、ＡＶソース１は、ＤＶＤプレーヤであり、第１のオーディオ信号Ａ１はアナログステレオオーディオ信号であり、第２のオーディオ信号Ａ２は、ディジタルマルチチャネルオーディオ信号である。ディジタルマルチチャネルオーディオ信号の優先度は、アナログステレオオーディオ信号の優先度を上回っている。第１のオーディオ信号Ａ１及び第２のオーディオ信号Ａ２の双方は同じＡＶソース１から生じているので、これらは相関しており、もって比較器４１は合致を検出することになる。合致が検出され第２オーディオ信号Ａ２の優先度が最高のものであるという両方が揃っているので、第２のオーディオ信号Ａ２が自動的に選択されることになる。優先度情報が用いられない場合、第２のオーディオ信号Ａ２は、第１のオーディオ信号Ａ１と合致する場合に選択される。こうして、ユーザは、何らアクションを起こす必要がない。オーディオプロセッサ４が第１のオーディオ信号Ａ１を受信する限り、第２のオーディオ信号Ａ２が合致しているかどうかを検出し、優先度を知って、最高の優先度のオーディオ信号が選択されることになる。かくして、第２の（マルチチャネル）オーディオ信号Ａ２が第１の（ステレオ）オーディオ信号Ａ１と合致する場合、この良好な第２のオーディオ信号Ａ２が選択されもって聴取されることになる。第２のオーディオ信号Ａ２が第１のオーディオ信号Ａ１と合致しない場合、この第１のオーディオ信号Ａ１が選択される。例えば、ユーザがＡＶソース１とオーディオプロセッサ４の入力Ｉ２との間にケーブルを付けなかったり、或いはユーザがＡＶソース１とは異なるソースから音声信号を供給する入力Ｉ２にケーブルをつけた場合、合致が検出されない。
【００３４】
同様に、オーディオ信号を比較することに代えて、ビデオ信号Ｖ１及びＶ２が当該選択を制御するために比較されるようにしてもよい。
【００３５】
図２は、ＡＶソース、オーディオソース、表示装置及びオーディオプロセッサを有するレシーバを有するシステムのより詳細なブロック図を示している。このシステムは、ここではＡＶソース１、オーディオソース６、データソース８、表示装置２及びオーディオビデオレシーバ３（ＡＶレシーバ又はレシーバとも呼ばれる）を有する。
【００３６】
ＡＶソース１は、アナログステレオオーディオ信号Ａ１ａ及びコンポーネントビデオ信号Ｖ１ａを表示装置２に供給するＤＶＤプレーヤとすることができる。このＡＶソースは、アナログマルチチャネルオーディオ信号Ａ１ｂ及びディジタルステレオ又はマルチチャネルオーディオ信号Ａ１ｃ及びオプションとしての複合（又はＳ）ビデオ信号Ｖ２をレシーバ３の入力部Ｉ２ｒ、Ｉ３ｒ及びＩ４ｒにそれぞれ供給する。大抵は、ディジタルマルチチャネルオーディオ信号か又はディジタルステレオ信号が、ＤＶＤプレーヤ１とレシーバ３との間に接続される同じインターフェースケーブルにおいて提示される。ビデオ信号Ｖ１ａは、コンポーネントビデオ信号（図示せぬＲ，Ｇ，Ｂ）とすることができ、ビデオ信号Ｖ２は、複合ビデオ信号とすることができる。ＤＶＤプレーヤ１に代えて、並列に異なる音声フォーマット及び／又はビデオフォーマットを供給する他のＡＶソースを用いることができる。オーディオソース６は、マルチチャネルアナログ又はディジタル信号Ａ３をレシーバ３の入力部Ｉ５に供給する。遠隔コンテンツソース８は、情報Ａ５をレシーバ３の入力部Ｉ６に供給する。この情報Ａ５は、ディジタルデータストリームとすることができる。遠隔コンテンツソース８は、例えばインターネットサーバとすることができる。
【００３７】
表示装置２（本実施例ではＴＶ）は、チューナ２０、セレクタ２１、音声プロセッサ２２、ビデオプロセッサ２３、２つの拡声スピーカ２５及び２６、並びにディスプレイ２４を有する。チューナ２０は、テレビプログラムを受信し、テレビジョンオーディオ信号Ａｔ及びテレビジョンビデオ信号Ｖｔを供給する。セレクタ２１は、チューナ２０からテレビジョンオーディオ信号Ａｔ及びテレビジョンビデオ信号Ｖｔを、又はＡＶソース１からアナログステレオオーディオ信号Ａ１ａ及びビデオ信号Ｖ１ａを選択する。選択されたオーディオ信号Ａｄは、拡声スピーカ信号ＬＳ１及びＬＳ２を拡声スピーカ２５及び２６に供給する音声プロセッサ２２に供給される。選択されたビデオ信号Ｖｄは、駆動信号ＤＳをディスプレイ２４に供給するビデオプロセッサ２３に供給される。選択されたオーディオ及びビデオ信号はまた、出力オーディオ信号Ａ１及び出力ビデオ信号Ｖ１としてそれぞれ表示装置２の出力部ＴＯ１及びＴＯ２に供給される。図２において、セレクタ２１は、ＡＶソース１からアナログステレオオーディオ信号Ａ１ａ及びビデオ信号Ｖ１ａを選択する。出力ビデオ信号Ｖ１は、ビデオ信号Ｖ１ａと関連しているか又は一致し、出力オーディオ信号Ａ１は、オーディオ信号Ａ１ａと関連しているか又は一致している。関連の意味するところは、説明した信号が処理されるもののそれらが非常に高い類似性を持ち、例えば振幅だけが異なるとか或いははノイズリダクションアルゴリズムだけが行われているといったものである。出力ビデオ信号Ｖ１及び出力オーディオ信号Ａ１は、例えばＳＣＡＲＴケーブルなどの標準のインターフェースケーブルを介してレシーバ３の入力Ｉ１ｒに供給される。
【００３８】
レシーバ３は、オーディオプロセッサ４及びデコーダ／出力増幅器５を有する。オーディオプロセッサ４は、入力部Ｉ１ｒを介してアナログステレオ出力オーディオ信号Ａ１を、入力部Ｉ２ｒを介してアナログマルチチャネルオーディオ信号Ａ１ｂを、入力部Ｉ３ｒを介してディジタルステレオ又はマルチチャネルオーディオ信号Ａ１ｃを、入力部Ｉ５ｒを介してマルチチャネルアナログ又はディジタル信号Ａ３を、入力部Ｉ６ｒを介して遠隔コンテンツソース８から発せられたオーディオ信号Ａ５を受信する。遠隔コンテンツソース８は、有線又は無線（例えば、ＷＬＡＮ）を介して、例えば電話又はインターネットにより結合可能である。
【００３９】
オーディオプロセッサ４は、図１に示される（図２には示されていない）比較器４１、コントローラ４０及びセレクタ４２を有する。比較器４１は、合致があるかどうかにつき、入力オーディオ信号Ａ１ｂ，Ａ１ｃ，Ａ３，Ａ５の各々（又は関連のサブグループ）をチェックする。少なくとも１つの合致が判明した場合、合致している入力オーディオ信号の優先度がチェックされ、最も高い優先度の合致している入力オーディオ信号が選択されてデコーダ／出力増幅器５に供給される。選択オーディオ信号ＡＳは、出力増幅器５により増幅される前に先ず復号処理されるディジタル信号とすることができる。選択されたオーディオ信号ＡＳは、増幅器５により増幅されることだけが必要とされるアナログオーディオ信号とるすることができる。また、全てのディジタルオーディオ信号が選択がなされる前にアナログオーディオ信号に先ずデコードされるようにすることも可能である。ここでは、デコーダ／増幅器５が増幅器だけを有する。図２は、専ら例示の目的で、５．１チャネルＡＶレシーバ３を示しており、このレシーバは、６つの出力Ｑ１ないしＱ６を有し、それぞれ前方左スピーカＬ、前方右スピーカＲ、中央スピーカＣ、左側サラウンドスピーカＳＲＬ、右側サラウンドスピーカＳＲＲ及びサブウーハＳＷといったスピーカに出力信号を供給する。図２に示されるシステムでは、ディジタルマルチチャネルオーディオ信号Ａ１ｃが最高の優先度を有し、存在するときにアナログステレオオーディオ信号Ａ１ａ（及びＡ１）と合致することになり、選択されることになる。例えば、ＤＶＤはステレオだけであることが理由で存在しない場合、或いはディジタルオーディオ信号Ａ１ｃを伝送するケーブルが存在していない場合、オーディオ信号Ａ５が良好な信号となりうる。オーディオ信号Ａ５は、コンテンツプロバイダがオーディオ出力信号Ａ１を特徴づける情報を最初に受信した場合にのみ存在する可能性がある。この情報は、良好な信号が見つからない場合に常に又は専ら送られることができる。コンテンツプロバイダが良好な合致オーディオ信号を有していると、これは、当該コンテンツプロバイダの遠隔コンテンツソース８から入力部Ｉ６ｒに供給される。入力部Ｉ６ｒは、実際のプラグである必要はなく、例えば、赤外線又は他の無線レシーバとしてもよい。プロセッサ４は、入力部Ｉ６ｒにおいて受信されるデータを処理することができる通信ユニット７を有してもよい。
【００４０】
レシーバ３は、ラジオチューナ（図示せず）を有してもよく、出力増幅器は、拡声スピーカを直接駆動することができるものである必要はない。拡声スピーカを駆動するために、独立した増幅器を用いてもよい。
【００４１】
合致を見つけるためにオーディオ信号を比較することに代えて、ビデオ信号が比較されるものとしてもよい。例えば、プロセッサ４（これまではオーディオプロセッサと呼んでいた）は、ビデオ信号Ｖ２をビデオ信号Ｖ１と比較するようにしてもよい。合致が見つかると、最高の優先度を有するビデオ信号が選択されるか、又はオーディオ信号Ａ１ｂ，Ａ１ｃの関連の１つが選ばれるか、或いは、かかるビデオ信号の選択とともに当該関連の１つが選ばれる。或いは、複数の合致が判明されると、例えばコンテンツソース８も合致しているビデオ信号を供給していると、最高の優先度の信号が選択される。
【００４２】
他のオプションには、スタンバイ状態にある場合にレシーバ３がその入力部Ｉ１ｒないしＩ６ｒのうちの１つ又は特定の幾つかについて信号が検出されたときに起動される、というものがある。さらに、レシーバ３は、信号が利用可能となることが検出される入力に切り換わりうる。例えば、開始状況は、オーディオソース６はアクティブとなっているＣＤプレーヤ６であり、レシーバ３は被選択信号ＡＳとして出力されるべきＣＤプレーヤ信号Ａ３を選択しているというものである。ここで、テレビジョンレシーバ２がオンに切り換えられ、ＡＶレシーバ３は、ＳＣＡＲＴケーブルを介してＴＶレシーバ３に結合されるＳＣＡＲＴ入力Ｉ１ｒにおける信号Ａ１がアクティブとなることを検出する。ここでＡＶレシーバ３は、このＳＣＡＲＴ入力Ｉ１ｒに自動的に切り換わり、他の入力Ｉ２ｒからＩ６ｒにおいて呈する合致信号のサーチを開始する。ＡＶレシーバ３は、切り換わり前にアクティブとなった入力を記憶する。ＴＶレシーバ２がオフに切り換えられるときには、ＡＶレシーバ３は当該切り換わり前にアクティブとなったことを記憶するところの入力を選択する。
【００４３】
図３は、オーディオプロセッサ４の実施例の詳細なブロック図を示している。図２におけるものと同じ参照符号を有する全ての信号は、図２の信号と同じである。オーディオプロセッサ４は、ディジタル領域で動作する比較器４１を有する。アナログ／ディジタル変換器４４は、アナログステレオオーディオ信号Ａ１をディジタルオーディオ信号Ａｏｄに変換する。マルチチャネル／ステレオ変換器４５は、マルチチャネルアナログオーディオ信号Ａ１ｂをアナログステレオオーディオ信号Ａ１ｂｓに変換する。アナログ／ディジタル変換器４６は、アナログステレオオーディオ信号Ａ１ｂｓをディジタルステレオ信号Ａ１ｂｄに変換する。ステレオ又はマルチチャネルディジタルオーディオ信号Ａ１ｃは、比較器４１に直接、供給される。オーディオ信号Ａ１ｃがマルチチャネル信号である場合、合致の確認がなされる前にディジタルステレオ信号を先ず得るように比較器４１においてディジタル的に処理されるようにしてもよい。マルチチャネル／ステレオ変換器４７は、マルチチャネルアナログオーディオ信号Ａ３をアナログステレオオーディオ信号Ａ３ｓに変換する。アナログ／ディジタル変換器４８は、アナログステレオオーディオ信号Ａ３ｓをディジタルステレオ信号Ａ３ｄに変換する。プロトコルデコーダ４９は、符号化ディジタル情報Ａ５（例えば、インターネットプロトコル又は無線プロトコルで符号化されているもの）を受信し、ステレオ情報Ａ５ｓを得る。アナログ／ディジタル変換器４４，４６及び４８は、独立した回路としてもよいし、時分割多重で用いられるようにしてもよい。
【００４４】
かくして、合致した全てのオーディオ信号がディジタルステレオ信号であり、マッチング（照合）の質が向上する。ディジタル比較器４１は、コントローラ４０に比較信号を供給する。コントローラ４０はさらに、メモリ４３に記憶されている優先度情報ＰＩを受信するようにしてもよく、選択信号ＳＥをセレクタ４２に供給する。セレクタ４２は、入力オーディオ信号Ａ１，Ａ１ｂ，Ａ１ｃ，Ａ３及びＡ５を受信し、入力オーディオ信号Ａ１，Ａ１ｂ，Ａ１ｃ，Ａ３及びＡ５のうちの１つである選択されたオーディオ信号ＡＳを供給する。実際、セレクタ４２は、アナログ入力オーディオ信号を選択するためのアナログ部分と、ディジタルオーディオ信号を選択するためのディジタル部分とを有するものとしてもよい。或いは、アナログ信号がディジタル化されるようにしてもよく、セレクタ４２は、ディジタル回路とされる。
【００４５】
図４は、オーディオプロセッサの他の実施例の詳細なブロック図を示している。図３におけるものと同じ参照符号を有する全ての信号は図３の信号と同じである。
【００４６】
オーディオプロセッサ４は、ここではアナログ領域で動作する比較器４１を有する。アナログステレオオーディオ信号Ａ１は、比較器４１に直接供給される。マルチチャネル／ステレオ変換器５０は、アナログマルチチャネルオーディオ信号Ａ１ｂをアナログステレオオーディオ信号Ａ１ｂａに変換する。ディジタル／アナログ変換器５２は、ステレオ又はマルチチャネルのディジタルオーディオ信号Ａ１ｃをステレオアナログオーディオ信号Ａ１ｃａに変換する。オーディオ信号Ａ１ｃは、マルチチャネル信号である場合、アナログステレオ信号に変換される前にディジタルステレオ信号を先ず得るようにディジタル／アナログ変換器５２においてディジタル的に処理されるようにしてもよい。マルチチャネル／ステレオ変換器５３は、マルチチャネルアナログオーディオ信号Ａ３をアナログステレオオーディオ信号Ａ３ｓに変換する。プロトコルデコーダ５４は、符号化ディジタル情報Ａ５（ここでも、例えば、インターネットプロトコル又は無線プロトコルにより符号化されたもの）を受信し、ディジタルステレオ情報Ａ５ｄを得る。ディジタル／アナログ変換器５５は、ディジタルステレオ情報Ａ５ｄをアナログステレオオーディオＡ５ａに変換する。ディジタル／アナログ変換器５２及び５５は、独立した回路としてもよいし、或いは時分割多重で用いられるようにしてもよい。
【００４７】
こうしてここでは、合致しなければならない全てのオーディオ信号がアナログステレオ信号であり、当該マッチングの品質が向上する。アナログ比較器４１は、比較信号ＣＳを供給する。セレクタ４２（ここでは図示されていない。図３参照）は、入力オーディオ信号Ａ１，Ａ１ｂ，Ａ１ｃ，Ａ３及びＡ５を受信し、これら入力オーディオ信号Ａ１，Ａ１ｂ，Ａ１ｃ，Ａ３及びＡ５のうちの１つである被選択オーディオ信号ＡＳを供給する。実際、セレクタ４２は、アナログ入力オーディオ信号を選択するためのアナログ部分と、ディジタルオーディオ信号を選択するためのディジタル部分とを有するようにしてもよい。或いは、ディジタルオーディオ信号は、アナログオーディオ信号に変換されるものとしてもよく、セレクタ４２はアナログスイッチング回路とされる。
【００４８】
好適実施例において、プロセッサ４は、第１のオーディオ及び／又はビデオ信号Ａ１，Ｖ１と、第２のオーディオ及び／又はビデオ信号Ａ２，Ｖ２，Ａ１ｂ，Ａ１ｃ，Ａ３，Ａ５を受信する。比較器４１は、第１のオーディオ又はビデオ信号Ａ１，Ｖ１と第２のオーディオ又はビデオ信号Ａ２，Ａ１ｂ，Ａ１ｃ，Ａ３，Ａ５，Ｖ２をそれぞれ比較し、第１のオーディオ信号Ａ１と第２のオーディオ信号Ａ２との合致、又は第１のビデオ信号Ｖ１と第２のビデオ信号Ｖ２との合致を検出するようにしている。セレクタ４２は、合致が検出された場合には、第２のオーディオ又はビデオ信号Ａ２，Ｖ２である被選択信号ＡＳを、そうでない場合には、第１のオーディオ又はビデオ信号Ａ１，Ｖ１を供給する。
【００４９】
なお、上述した実施例は、本発明を限定するのではなく例示するものであり、当業者であれば、添付の請求項の範囲を逸脱することなく数多くの代替実施例を構成することは可能な筈である。
【００５０】
大部分の実施例及び例示は、オーディオ信号を比較して合致を判定することを指向しているが、処理の手間が多いもののビデオ信号も比較可能である。信号のマッチングを厳密に同じ信号によって行う必要はない。例えば、ステレオオーディオ信号のチャネルのうちの１つ及びマルチチャネルオーディオ信号のチャネルのうちの１つに対して、高い相関（直接的に、或いはフィンガープリントに関して）が検出される可能性がある。例えばＤＶＤプレーヤが中央チャネルのオーディオ信号をＴＶレシーバに供給してＴＶレシーバの拡声スピーカが中央スピーカとして用いられるようにした場合、この中央のオーディオ信号は合致を見つけるために用いられる。この中央オーディオ信号と１以上のチャネルの他のオーディオ信号との間で、特に、堅牢なフィンガープリント技術が用いられる場合に、信頼性のある合致が依然として可能である。或いは、コンポーネントビデオの成分のうちの１つがＳ−ＶＨＳビデオ信号の輝度情報と比較されるようにしてもよい。
【００５１】
図３及び図４に関しては、入力信号がそれぞれ比較器４１により並列に受信可能であることを説明したが、これに代えて、入力信号が１つずつ選択さるようにしてもよく、必要な前処理機能を１度だけで済ますことができる。入力信号の特性によっては、正しい前処理が選択又は実行される。
【００５２】
請求項において、括弧内に付された参照符号は、当該請求項を限定するものと解釈してはならない。「有する」なる動詞及びその活用形の使用は、請求項に記載のもの以外の要素又はステップの存在を排除するものではない。要素の単一表現は、そのような要素の複数の存在を排除するものではない。本発明は、複数の個別の要素を有するハードウェアにより、また適切にプログラムされたコンピュータにより実施可能である。複数の手段を列挙する装置の請求項においては、これら手段の幾つかが同一アイテムのハードウェアにより具現化されてもよい。単に或る方策が相互に異なる従属請求項において挙げられているという点は、これら方策の組み合わせを活用することができないことを示すものではない。
【図面の簡単な説明】
【００５３】
【図１】表示装置、オーディオビデオソース及びオーディオプロセッサを有するシステムのブロック図。
【図２】オーディオビデオソース、オーディオソース、表示装置、及びオーディオプロセッサを有するレシーバを有するシステムの詳細ブロック図。
【図３】オーディオプロセッサの実施例の詳細ブロック図。
【図４】オーディオプロセッサの他の実施例の詳細ブロック図。
【図１】
2008510335.tif 000003
【図２】
2008510335.tif 000004
【図３】
2008510335.tif 000005
【図４】
2008510335.tif 000006
【国際調査報告】
2008510335.tif 000007
2008510335.tif 000008